(57)【要約】【課題】  外枠に対しての前面枠又は内枠の開閉を検知する検知スイッチにおいて、前面枠又は内枠の開閉における衝撃を抑制するとともに、その開閉状態を正確に検知することが可能な遊技機を提供する。【解決手段】外枠２に対しての前面枠４又は内枠３の開閉を検知する検知スイッチ６０が前面枠４側に設けられ、その検知スイッチ６０が前面枠４又は内枠３の開閉状態を検知するために、検知スイッチ６０に対応して前面枠４の後面４ｓに対して突出及び引っ込む（押し込まれる）形で回動可能な回動部材７０が設けられている。【選択図】  図３
2011019655.tif 000002
【特許請求の範囲】
【請求項１】
遊技機の外形をなす枠状の外枠と、その外枠の一側部側で軸支され該外枠に対して開閉可能な内枠と、その内枠に対して前記軸支側の一側部側で軸支されて前面側に開閉可能な前面枠とを備える遊技機であって、
前記前面枠には、前記内枠と対向する後面の外周縁近傍に配置され、前記外枠に対しての前記前面枠又は内枠の開閉状態を検知する検知スイッチと、その検知スイッチに対応し前記外周縁における近傍の一辺に交差する回動軸線周りで回動可能に配置され、前記内枠又は外枠が当接し前記後面に押し込まれて前記検知スイッチにより前記前面枠又は内枠の閉状態が検知される押込位置と、前記内枠又は外枠の当接が解除されて前記後面に突出して前記検知スイッチにより前記前面枠又は内枠の開状態が検知される突出位置との間で変位する回動部材と、が設けられていることを特徴とする遊技機。
【請求項２】
前記回動部材は、前記突出位置で前記後面に突出する突出部分の前記外周縁の一辺側が壁状に立ち上がる平坦面として形成されている請求項１に記載の遊技機。
【請求項３】
前記検知スイッチ及び回動部材は、前記前面枠の軸支側とは反対の開放側の隅角部に配置されており、
前記回動部材は、前記内枠又は外枠が当接する当接部が前記回動軸線よりも前記隅角部側で前記押込位置と突出位置との間を変位するように配置されている請求項１又は２に記載の遊技機。
【請求項４】
前記回動部材は、前記突出位置で前記前面枠の後面に突出する突出部分の前記隅角部を形成する前記外周縁のもう一辺側の面が、前記後面を基準としてそのもう一辺側から前記回動軸線側に向かって傾斜する傾斜面として形成されている請求項３に記載の遊技機。
【請求項５】
前記回動部材は、前記突出位置で前記前面枠の後面に突出する突出部分の前記回動軸線側の面が、前記後面を基準としてその回動軸線側から前記隅角部を形成する前記外周縁のもう一辺側に向かって傾斜する傾斜面として形成されている請求項３又は４に記載の遊技機。
【請求項６】
前記回動部材は、前記前面枠が開閉する軸線に前記回動軸線が平行となるように配置されている請求項１ないし５のいずれか１項に記載の遊技機。
【請求項７】
前記検知スイッチ及び回動部材は、前記外枠に向けて前後方向に投影したときに、該外枠と重なる領域を含んで配置されている請求項１ないし６のいずれか１項に記載の遊技機。
【発明の詳細な説明】
【技術分野】
【０００１】
本発明は、遊技機に関する。
【背景技術】
【０００２】
例えば遊技機は、遊技機の外形をなす枠状の外枠と、その外枠の一側部側で軸支され該外枠に対して開閉可能な内枠と、その内枠に対して軸支側の一側部側で軸支されて前面側に開閉可能な前面枠とを備えている。内枠には、遊技領域を形成する遊技盤が装着されており、前面枠には、その遊技領域（遊技盤）を視認するための窓部（ガラス等の透明板）が形成されている。
【０００３】
ところで、従来の遊技機には、前面カバー部材（前面枠）が僅かな開角度であっても開状態であることを検出することができるように、前面カバー部材（前面枠）の自由端側（開放側）に開閉検出器を設けたものがある（例えば、特許文献１参照。）。
【先行技術文献】
【特許文献】
【０００４】
【特許文献１】特開２００６−５１１１９号公報
【発明の概要】
【発明が解決しようとする課題】
【０００５】
特許文献１記載の技術は、検出部の前後方向への変位により前面カバー部材（前面枠）の開閉状態を検出可能な検知スイッチが、その検出部が前面カバー部材（前面枠）の裏面開口部から内枠に向けて突設する状態で取り付けられている。ここで、検知スイッチを前面カバー部材（前面枠）の自由端側（開放側）に配置することは、その前面カバー部材（前面枠）の開放をすぐさま検知できる反面、仮に前面カバー部材が勢いよく閉じられると、内枠との衝突により軸支側に比して衝撃が強くなり、組み付け時における位置決めや固定状態に係る安定性がより強く求められることとなる。したがって、特許文献１記載の技術では、検知スイッチの前後方向の移動を規制する移動規制部を有する装飾蓋部材が取り付けられている。
【０００６】
しかしながら、内枠と当接する検出部自身は前後方向に変位するように設けられているため、その突出量があまり大きくないとはいえ、前面カバー部材（前面枠）は一側部側で軸支されて内枠（外枠）に対して開閉（回動）するように取り付けられており、検出器を前後方向に真っ直ぐ押し込むように当接するとは言えず、故障や破損の原因となる虞がある。また、逆に検出器に過剰な負荷を与えないために突出量を大きくすることができず、前面カバー部材のガタつきなどが発生すると正確な開閉状態を検出できなくなるという虞がある。
【０００７】
本発明は、上記実情に鑑みてなされたものであり、外枠に対しての前面枠又は内枠の開閉を検知する検知スイッチにおいて、前面枠又は内枠の開閉における衝撃を抑制するとともに、その開閉状態を正確に検出することが可能な遊技機を提供することにある。
【課題を解決するための手段】
【０００８】
上記課題を解決するために、本発明の遊技機は、
遊技機の外形をなす枠状の外枠と、その外枠の一側部側で軸支され該外枠に対して開閉可能な内枠と、その内枠に対して軸支側の一側部側で軸支されて前面側に開閉可能な前面枠とを備える遊技機であって、
前面枠には、内枠と対向する後面の外周縁近傍に配置され、外枠に対しての前面枠又は内枠の開閉状態を検知する検知スイッチと、その検知スイッチに対応し外周縁における近傍の一辺に交差する回動軸線周りで回動可能に配置され、内枠又は外枠が当接し後面に押し込まれて検知スイッチにより前面枠又は内枠の閉状態が検知される押込位置と、内枠又は外枠の当接が解除されて後面に突出して検知スイッチにより前面枠又は内枠の開状態が検知される突出位置との間で変位する回動部材と、が設けられていることを特徴とする。
【発明の効果】
【０００９】
上記本発明によれば、外枠に対しての前面枠又は内枠の開閉を検知する検知スイッチが前面枠側に設けられ、その検知スイッチが前面枠又は内枠の開閉状態を検知するために、検知スイッチに対応して前面枠の後面に対して突出及び引っ込む（押し込まれる）形で回動可能な回動部材が設けられている。これによれば、検知スイッチが前面枠又は内枠の開閉状態を検出する際に、内枠又は外枠が当接（作用）する部材が回動するように設けられているので、前面枠又は内枠の開閉における衝撃力を分散し、過剰な負荷を軽減して故障や破損を抑制することができる。また、回動部材を前面枠の背面に対して前後方向に真っ直ぐ押し込むように当接できない場合にも有効である。さらには、背面からの突出量を大きくすることができ、前面枠にガタつきなどが発生した場合にも、正確な検出をすることができる。さらには、検知スイッチに対して作用する部材を回動部材とすることで、検知スイッチの前面枠の後面からの距離が小さくなり、前面側の装飾の内側（後側）にコンパクトに配置することができる。言い換えれば、前面枠の前面側の装飾への影響を小さくすることができる。
【００１０】
また、回動部材は、外周縁における近傍の一辺に交差する回動軸線周りで回動可能に配置されているので、その外周縁の一辺に対応する側壁に沿って回動部材が回動し、前面枠に対して、コンパクト化、省スペース化された状態で配置することができる。
【００１１】
また、回動部材は、突出位置で後面に突出する突出部分の外周縁の一辺側が壁状に立ち上がる平坦面として形成する構成を採用することができる。これによれば、前面枠の外周縁の一辺側が壁状に立ち上がる平坦面で形成されているので、前面枠と内枠との間に形成される隙間から異物が挿入されて検知スイッチ（回動部材）が作用されるのを阻止することができる。
【００１２】
また、検知スイッチ及び回動部材は、前面枠の軸支側とは反対の開放側の隅角部に配置されており、回動部材は、内枠又は外枠が当接する当接部が回動軸線よりも隅角部側で押込位置と突出位置との間を変位するように配置する構成を採用することができる。これによれば、回動部材の当接部が前面枠の開放側の隅角部に配置されるので、省スペース化、コンパクト化を図ることとともに、前面枠又は内枠の僅かな開閉角度において開閉状態を検出することができる。
【００１３】
また、回動部材は、突出位置で前面枠の後面に突出する突出部分の隅角部を形成する外周縁のもう一辺側の面が、後面を基準としてそのもう一辺側から回動軸線側に向かって上り傾斜する傾斜面として形成する構成を採用することができる。これによれば、回動部材の回転半径の拡大を抑制するとともに、前面枠と内枠との間に形成される隙間から異物が挿入されて検知スイッチ（回動部材）が作用されるのを抑制することができる。すなわち、回動部材の回動軸線は、前面枠の背面の内側（前側）に形成されているので、背面から突出する当接部（突出部分）が回動軸線との位置関係上、もう一辺側（外周縁側）に近づく（引き込む）形で回動（押し込まれる）されることとなり、異物を隙間から単に押し込むだけでは回動部材を操作することができないようになっている。
【００１４】
また、回動部材は、突出位置で前面枠の後面に突出する突出部分の回動軸線側の面が、後面を基準としてその回動軸線側から隅角部を形成する外周縁のもう一辺側に向かって上り傾斜する傾斜面として形成する構成を採用することができる。これによれば、前面枠と内枠との間に形成される隙間から異物が挿入されて検知スイッチ（回動部材）が作用されるのを抑制することができる。すなわち、針金などの異物を回動部材の突出部分に引っ掛け難くなっており、簡単に回動部材を操作することができないようになっている。
【００１５】
また、回動部材は、前面枠が開閉する軸線に回動軸線が平行となるように配置する構成を採用することができる。これによれば、前面枠が軸支される軸線に回動軸線が平行になるように回動部材が配置されるので、内枠又は外枠の当接、押し込みによる負荷を軽減して、回動部材の回動をスムーズに行うことができる。
【００１６】
また、検知スイッチ及び回動部材は、外枠に向けて前後方向に投影したときに、該外枠と重なる領域を含んで配置する構成を採用することができる。これによれば、内枠に検知スイッチを配置したときのように、外枠の内側に当接板金などを設ける必要がなく、外枠自身を利用して検知スイッチを作動させることが可能となり、部品点数の増加を抑制することができる。ひいては、前面枠に検知スイッチを配置することで、内枠構成の設計の自由度が広がるとともに、前後方向において外枠と重なる領域に検知スイッチを配置することが可能となり、他側部側であれば、より一層僅かな開閉角度において開閉状態を検出することができる。
【図面の簡単な説明】
【００１７】
【図１】本発明の実施形態に係る遊技機の一例を示す正面図である。
【図２】図１の遊技機の前面枠を開放した状態を示す斜視図である。
【図３】枠開閉検出部の分解斜視図である。
【図４】枠開閉検出部を示す斜視図である。
【図５】開状態における枠開閉検出部を示す背面図及び断面図である。
【図６】閉状態における枠開閉検出部を示す背面図及び断面図である。
【図７】ベース部材及び回動部材を示す斜視図である。
【図８】変形例に係る回動部材を備えた図５（ｂ）に対応する断面図である。
【発明を実施するための形態】
【００１８】
以下、本発明における実施形態について図面を参照しつつ説明する。
【実施例】
【００１９】
図１及び図２に示すように、パチンコ機（遊技機）１は、そのパチンコ機１の外形をなし、上下の横枠２ａ，２ｂ及び左右の縦枠２ｃ，２ｄからなる枠状の外枠２と、その外枠２の遊技者側（正面）から見て左側の縦枠２ｃ側（一側部側）に配置されたヒンジ５を介して回動軸線Ｏ１中心で片開き状に開閉可能な内枠３と、その内枠３の前面側でヒンジ５を介して回動軸線Ｏ１周りで開閉可能な前面枠４とを備えている。
【００２０】
前面枠４には、ヒンジ５（外枠２の縦枠２ｃ側：軸支側）とは反対側の開放側（外枠２の縦枠２ｄ側：他側部側）に外枠２に対して内枠３又は前面枠４の開閉状態を検出する枠開閉検出部６が設けられている。また、内枠３の開放側（外枠２の縦枠２ｄ側）には、施錠装置７が設けられており、その施錠装置７が外枠２及び前面枠４にそれぞれ独立して係合することにより、外枠２に対して内枠３、並びに内枠３に対して前面枠４が開錠可能に施錠される。
【００２１】
内枠３には、遊技盤１０が支持されている。この遊技盤１０の前面（盤面）１０ａには、内外２本のガイドレール１０ｂによって区画された遊技領域１０ｃが形成されている。また、内枠３には、遊技盤１０の下方に遊技領域１０ｃに向けて遊技球を発射する発射装置８が取り付けられている。そして、遊技領域１０ｃの中央には液晶画面等を含む可変表示装置１１が配置されており、その下方には回動翼片１２ａを有する始動入賞装置１２（電動チューリップ）や入賞扉１３ａを有する大入賞装置１３（アタッカー）が配置されている。また、大入賞装置１３の下方にはアウト口１４が配置され、可変表示装置１１の横には通過ゲート１５や風車１６、及び一般入賞口を有するサイドランプ１７が設けられている。また、前面枠４の前面側には、遊技領域１０ｃを視認するための窓部４０の下方に、貸球や賞球を貯留する球受け皿１８や、発射装置８を作動させてガイドレール１０ｂを通り遊技領域１０ｃへ遊技球を発射するための発射ハンドル１９が配置されている。窓部４０には、ガラス板などの透明板４１が配設されている。
【００２２】
次に、枠開閉検出部６について詳しく説明する。枠開閉検出部６は、図１及び図２に示すように、前面枠４の内枠３と対向する後面４ｓの外周縁近傍に配置されている。ここで、前面枠４は、枠状の外枠２に対応して正面視方形状の外形をなし、後面４ｓの外周縁を形成する４辺を上辺部４ａ，下辺部４ｂ，左側辺部４ｃ，右側辺部４ｄとした場合、上辺部４ａ及び右側辺部４ｄとで形成される隅角部に枠開閉検出部６は配置されている。また、枠開閉検出部６は、前面枠４が外枠２に対して閉鎖状態で外枠２に向けて前後方向に投影したときに、外枠２と重なる領域を含んで配置されている（具体的には、後述する検知スイッチ６０、回動部材７０及びベース部材８０が外枠２と重なる領域を含んで配置されている）。すなわち、枠開閉検出部６は、前面枠４の開放側の端部に配置されており、僅かな開閉角度においてもその開閉状態を検知することができる。
【００２３】
具体的には、図３及び図４に示すように、枠開閉検出部６は、外枠２に対しての前面枠４又は内枠３の開閉状態を検知する検知スイッチ６０と、その検知スイッチ６０が前面枠４又は内枠３の開閉状態を検知するために該検知スイッチ６０に対応して配置される回動部材７０と、その回動部材７０を回動可能に軸支するベース部材８０とを備えている。そして、前面枠４の後面４ｓには、上述した隅角部に枠開閉検出部６が収容され固定される収容部４２が形成されており、その収容部４２をベース部材８０が蓋う形で検知スイッチ６０及び回動部材７０が固定配置される。
【００２４】
検知スイッチ６０は、電気回路を開閉するものであり、例えば周知のマイクロスイッチを使用することができる。検知スイッチ６０は、スイッチ本体６１と、回動部材７０によって操作されるアクチュエータ６２と、アクチュエータ６２の作動によって往復動するプランジャ６３とを備えている。なお、本実施形態では、検知スイッチ６０をマイクロスイッチとして例示したが、回動部材７０を被検出部として検知するフォトセンサを使用することも可能である。
【００２５】
回動部材７０は、図４及び図５に示すように、ベース部材８０の軸支部８２に軸支される軸部７１と、ベース部材８０の開口部８３から突出する突出部７２（後述の突出位置で後面４ｓに突出する突出部分）と、検知スイッチ６０のアクチュエータ６１を操作（押圧）する作用部７３とを備えている。回動部材７０は、前面枠４の外周縁における近傍の一辺（本実施形態においては、上辺部４ａ）に交差（直交）する回動軸線Ｏ２（軸部７１）周りで回動可能に配置されている。すなわち、回動部材７０は、回動軸線Ｏ２が前面枠４が開閉する回動軸線Ｏ１に平行となるように配置されている。
【００２６】
そして、回動部材７０は、突出部７２が内枠３又は外枠２が当接し後面４ｓに押し込まれて検知スイッチ６０により前面枠４又は内枠３の閉状態が検知される押込位置（図６参照）と、内枠３又は外枠２の当接が解除されて後面４ｓに突出して検知スイッチ６０により前面枠４又は内枠３の開状態が検知される突出位置（図５参照）との間で変位するように配置されている。なお、突出部７２の先端部が、内枠３又は外枠２と当接する当接部７２ａとして機能する。そして、その当接部７２ａ（突出部７２）は、回動軸線Ｏ２（軸部７１）よりも隅角部側（右側辺部４ｄ側）で押込位置と突出位置との間を変位するように配置されている。
【００２７】
回動部材７０の突出部７２は、前面枠４の後面４ｓの上辺部４ａ側が壁状に立ち上がる平坦面７２ｂとして形成されている（図４（ａ）参照）。また、突出部７２は、上辺部４ａと隅角部を形成する外周縁のもう一辺（右側辺部４ｄ）側が、後面４ｓを基準としてその右側辺部４ｄ側から回動軸線Ｏ２側に向かって上り傾斜する傾斜面７２ｃとして形成されており、その反対側の回動軸線Ｏ２側が、後面４ｓに立ち上がる起立面７２ｄとして形成されている（図５参照）。そして、それら傾斜面７２ｃと起立面７２ｄとは、当接部７２ａ（先端）が角丸み形状となるように連結されている。これにより、突出部７２の先端が角丸み形状となっているので、針金などの異物を引っ掛け難くなっており、簡単に回動部材７０を操作することができず、不正行為を阻止又は抑制することができる。
【００２８】
なお、起立面７２ｄは、図８に示すように、傾斜面７２ｃと同様に後面４を基準として回動軸線Ｏ２側から右側辺部４ｄ側に向かって上り傾斜する傾斜面として形成することもできる。これにより、不正行為による回動部材７０の操作を一層効果的に阻止又は抑制することができる。
【００２９】
ベース部材８０は、板状形態をなす本体部８１と、上述のごとく、回動部材７０の軸部７１を軸支する軸支部８２と、回動部材７０の突出部７２を露出させる開口部８３とを備えている。また、ベース部材８０は、本体部８１の裏面側（遊技機正面側）で回動部材７０及び検知スイッチ６０のアクチュエータ６１を囲うように立ち上がる壁部８４，８５，８６が形成されている。これにより、回動部材７０と検知スイッチ６０とが作用する空間部にゴミや埃などの侵入を抑制することができるとともに、不正行為などによる異物の挿入を阻止する効果を高めている。なお、回動軸線Ｏ２に平行な壁部８６は、検知スイッチ６０に当接又は近接するように延出して形成されている。
【００３０】
次に、枠開閉検出部６の組み付け作業について説明する。まず、検知スイッチ６０を、前面枠４の収容部４２の予め定められた場所に配置する（図３参照）。このとき、検知スイッチ６０のアクチュエータ６１が前面枠４の後面４ｓの開口側となるように配置する。続いて、図７（ａ）に示すように、回動部材７０の軸部７１を、突出部７２がベース部材８０の壁部８４〜８６を退避した状態で、軸支部８２に挿入する。そして、図７（ｂ）に示すように、回動部材７０を壁部８４〜８６の内部に収めるように（突出部７２がベース部の開口部８３から突出するように）回動部材７０の回動軸線Ｏ２周りで回動させる。そして、その状態で、ベース部材８０を前面枠４の収容部４２を蓋うように配置する。このとき、ベース部材８０の壁部８６が検知スイッチ６０のスイッチ本体６１に当接又は近接するように配置される。これにより、検知スイッチ６０が収容部４２に位置決めされた状態で固定されることになる。そして、そのベース部材８０をビスなどの締結部材によって固定し、組み付け作業が完了する（図２参照）。
【００３１】
なお、ベース部材８０を、箱状をなすよう形成し、検知スイッチ６０及び回動部材７０を予め収容したユニットとして構成してもよい。その場合には、該ユニットを前面枠４の収容部４２に配置するだけの組み付け作業となり、組み付け作業及び交換作業などの作業効率を上げることができる。
【００３２】
次に、枠開閉検出部６の作動について説明する。図１に示すように、外枠２に対して内枠３及び前面枠４が閉じた状態のとき、枠開閉検出部６は、図６に示すように、回動部材７０の突出部７２（当接部７２ａ）が内枠３又は外枠２に押圧され、軸部７１で回動軸線Ｏ１周りに回動し、作用部７３が検知スイッチ６０のアクチュエータ６２を押圧する。そして、アクチュエータ６２が操作されることによりプランジャ６３がスイッチ本体６１に押し込まれることで、前面枠４又は内枠３の閉状態が検知される。
【００３３】
なお、回動部材７０は、外枠２に対して内枠３及び前面枠４が閉じた状態のとき、突出部７２（当接部７２ａ）が前面枠４の後面４ｓ（ベース部材８０の開口部８３）から僅かに突出した位置で保持されるように配置されている。なお、回動部材７０は、突出部７２が前面枠４の後面４ｓに完全に埋没する位置で保持されるように配置してもよい。このように、検知スイッチ６０（アクチュエータ６２）に対して作用する部材を回動部材７０とすることで、周囲の構造に併せて簡単に調整を行うことができ、汎用性を持った枠開閉検出部６とすることができる。
【００３４】
続いて、図２に示すように、外枠２に対して前面枠４だけが開放されると、又は前面枠４とともに内枠３が開放されると、枠開閉検出部６は、内枠３又は外枠４による回動部材７０の突出部７２（当接部７２ａ）への押圧が解除されて離間していくので、検知スイッチ６０のスイッチ本体６１内に設けられた図示しない可動ばねの付勢力によりプランジャ６３が、アクチュエータ６２及び回動部材７０を押し戻すとともにスイッチ本体６１から押し上がることで、前面枠４又は内枠３の開状態が検知される（図５参照）。
【００３５】
なお、枠開閉検出部６は、内枠３に対する前面枠４の開閉状態を検出する構成としてもよい。また、枠開閉検出部６が、外枠２に対して前面枠４とともに内枠３が開放された状態を検知する場合には、内枠３に切欠や開口を設けて直接外枠２に対して回動部材７０を当接するように形成することで開閉状態を検知することができる。また、外枠２側に向けて付勢するとともに、内枠３を貫設するシャフトなどの長手部材を回動部材７０に当接可能に配置することで開閉状態を検知することができる。
【００３６】
また、上記実施例では、回動部材７０は、プランジャ６３を付勢する図示しないスイッチ本体６１の可動ばねによって押し戻される構成であるが、ベース部材８０に対して突出位置に向けて付勢されるように可動ばねを配置してもよい。また、回動部材７０を右側辺部４ｄに交差（直交）する回動軸線周りで回動するように配置してもよい。
【００３７】
本発明では遊技機の一例としてぱちんこ機について説明したが、他に例えばアレンジボール遊技機、雀球遊技機等の遊技機に適用することができる。
【符号の説明】
【００３８】
１  パチンコ機（遊技機）
２  外枠
２ａ  横枠（上側）
２ｂ  横枠（下側）
２ｃ  縦枠（軸支側，一側部側）
２ｄ  縦枠（開放側，他側部側）
３  内枠
４  前面枠
６  枠開閉検出部
１０  遊技盤
６０  検知スイッチ
６１  スイッチ本体
６２  アクチュエータ
６３  プランジャ
７０  回動部材
７１  軸部
７２  突出部
７２ａ  当接部
７２ｂ  平坦面
７２ｃ  傾斜面
７２ｄ  起立面
７３  作用部
８０  ベース部材
８１  本体部
８２  軸支部
８３  開口部
８４，８５，８６  壁部
Ｏ１，Ｏ２  回動軸線
【図１】
2011019655.tif 000003
【図２】
2011019655.tif 000004
【図３】
2011019655.tif 000005
【図４】
2011019655.tif 000006
【図５】
2011019655.tif 000007
【図６】
2011019655.tif 000008
【図７】
2011019655.tif 000009
【図８】
2011019655.tif 000010